(57)【特許請求の範囲】
【請求項１】
屋外に設置される外枠内に、バーナ部及び該バーナ部の燃焼で、内方の熱媒体が加熱される暖房用熱交缶体と、該暖房用熱交缶体内に給湯用熱交換器を備え、給水を加熱された熱媒体で間接加熱して給湯を行う給湯回路と、暖房用熱交缶体内に風呂用熱交換器を備え、浴湯を加熱された熱媒体で間接加熱して追焚きを行う風呂回路とを備え、更に前記外枠内面には断熱材が貼り付けられ、中央を上記機能部品を有した機能室とし、下方を配管室及び上方を排気室として上下方向に３分割し、更に前記機能室はそのままで、排気室と配管室とをそれぞれ設置条件に応じて組み合わせる事を特徴とする温水暖房付き風呂釜内蔵給湯機。
【発明の詳細な説明】
【０００１】
【発明の属する技術分野】
この発明は、１台で温水暖房や給湯、風呂の追焚きを行う１缶３水路方式の温水暖房付き風呂釜内蔵給湯機に関するものである。
【０００２】
【従来の技術】
従来よりこの種のものに於いては、排気口及び配管口も一方向のみの器具や、排気口や配管口の位置がそれぞれ相違した器具本体を別々に用意するものであった。
【０００３】
【発明が解決しようとする課題】
ところでこの従来のものでは、前者に於いては、設置方向が限定されていてバリエーションに富んだ設置が出来ないという問題点を有し、又後者に於いては、バリエーションに富んだ設置は可能であるが、その設置方向毎に別々の器具本体を用意しなければならず、効率が悪いと共に、コストもアップするという問題点を有するものであった。
【０００４】
【課題を解決するための手段】
この発明はこの点に着目し上記欠点を解決する為、特にその構成を、屋外に設置される外枠内に、バーナ部及び該バーナ部の燃焼で、内方の熱媒体が加熱される暖房用熱交缶体と、該暖房用熱交缶体内に給湯用熱交換器を備え、給水を加熱された熱媒体で間接加熱して給湯を行う給湯回路と、暖房用熱交缶体内に風呂用熱交換器を備え、浴湯を加熱された熱媒体で間接加熱して追焚きを行う風呂回路とを備え、更に前記外枠内面には断熱材が貼り付けられ、中央を上記機能部品を有した機能室とし、下方を配管室及び上方を排気室として上下方向に３分割し、更に前記機能室はそのままで、排気室と配管室とをそれぞれ設置条件に応じて組み合わせるものである。
【０００５】
【発明の実施の形態】
外枠１内面には断熱材５が貼り付けられ、更に中央を各機能部品が備えられた機能室２７とし、下方には室内の機器と配管接続する為の配管室３６を形成し、上方には燃焼空気を吸引すると共に排気ガスを放出する給排気筒４０を備えた排気室４１を形成し、外枠１を上下方向に３分割構成としたので、配管出しの方向が、後、右、左と相違する設置の時には、それに応じた配管室３６、４３、４４を接続すれば良く、又排気方向が右側、正面、左側と相違する設置の時には、それに応じた排気室４１、４６、４７を接続すれば良く、バリエーションに富んだ設置が可能であると共に、配管室３６、４３、４４及び排気室４１、４６、４７のみを変換するのみで、器具本体全体を別のものに変換する必要がなく、又違うものを用意する必要もないのでコストも安価で済むものである。
【０００６】
【実施例】
次にこの発明に係る温水暖房付き風呂釜内蔵給湯機を図面に示す一実施例で説明する。
１は給湯、風呂の追焚き、温水暖房の各機能を備え屋外に設置される給湯機の外枠で、内方には石油気化式のバーナ部２と、該バーナ部２の燃焼で内部に貯溜した温水等の熱媒体を加熱する暖房用熱交缶体３と、制御用のプリント基板４等が内蔵されていると共に、この外枠１内面には、ロックウール吸音板等の建物の不燃材として使用されている断熱材５が貼り付けられ内方の保温効果を高めているものである。
【０００７】
６は暖房用熱交缶体３内に備えられた給湯用熱交換器で、給水サーミスタ７や給水フローセンサ８が備えられた給水管９を介して、水道直圧で流入する給水を熱媒体と熱交換させ、膨張吸収器１０やミキシング弁１１及び水比例弁１２や給湯サーミスタ１３を備えた給湯管１４を介して、各所に給湯する給湯回路を構成したものである。
【０００８】
１５は暖房用熱交缶体３内で給湯用熱交換器６より下方に備えられた風呂用熱交換器で、圧力センサ１６及び風呂用ポンプ１７及び風呂フローセンサ１８を有した風呂戻り管１９から流入する浴槽水を、熱媒体との熱交換で昇温し風呂往き管２０を介して浴槽（図示せず）に戻し、順次この循環を繰り返すことで浴槽水の追焚きを行う風呂回路を構成するものである。
【０００９】
２１は暖房用熱交缶体３と屋内に設置した放熱器（図示せず）とを連結する循環回路で、缶体３上部から引き出された暖房往き管２２と、缶体３下部に接続された途中には暖房用ポンプ２３を備えた暖房戻り管２４とで構成されてる。
【００１０】
２５は暖房用熱交缶体３の上下を連通する連通管で、途中には撹拌ポンプ２６を備え、缶体３内の上下の温度差をなくし均一にするものである。
【００１１】
２７は下仕切板２８と上仕切板２９で仕切られ上記の各機能部品を収納する機能室で、下仕切板２８下方を機能室２７より内容積が小さく、給湯用接続口３０、３１、風呂用接続口３２、３３、暖房用接続口３４、３５を備え、この中で配管接続する為の配管室３６とし、更に上仕切板２９上方を配管室３６より内容積が小さく、暖房用熱交缶体３上方に連通し排気がこの排気を行う排気管３７と、屋外から燃焼空気を吸引しバーナ部２の燃焼ファン３８に供給する給気管３９を二重筒構造とした給排気筒４０を備える排気室４１を形成している。
【００１２】
前記配管室３６は背面に２つの大きな配管穴４２を形成し、後側から配管出しを行う後用の配管室３６を構成するものであり、その他図２に示すように右側面に配管穴４２を備え右側から配管出しを行う右用の配管室４３を別に用意すると共に、図３に示すように左側面に配管穴４２を備え左側から配管出しを行う左用の配管室４４も別に備え、組み合わせを換えることで種々の配管出しに対応するものである。
【００１３】
又排気室４１は右側に給排気筒４０が突出する右排気用であり、その他図４に示すように正面に給排気筒４０が貫通する排気穴４５を形成した前排気用の排気室４６と、図５に示すように左側面に排気穴４５を形成し左側から給排気する左排気用の排気室４７とを用意し、組み合わせを換えることで種々の排気方向に対応するものである。
【００１４】
更に各配管室３６、４３、４４及び各排気室４１、４６、４７と、１つの機能室２８との接続はネジ等の固定手段（図示せず）で行われ、しかも製品の出荷時にその配管出し方向及び排気方向に応じた組み合わせで、器具本体を構成した状態で出荷し、設置現場ではそのまま設置すれば良いようにしているものである。
【００１５】
４８は給湯管１４から分岐し三方弁４９を介して風呂戻り管１９に接続した湯張り回路で、途中には湯張り電磁弁５０及び湯張りフローセンサ５１を備え、給湯回路を介して風呂の湯張りも容易に行えるようにしたものである。
【００１６】
次にこの発明一実施例の動作について説明する。
配管室３６で各配管が接続された状態で、今給湯或いは風呂追焚きや暖房の要求があれば、バーナ部２が燃焼開始して暖房用熱交缶体３内の熱媒体が加熱され、給湯用熱交換器６を通流する給水が加熱され給湯管１４を介して給湯が行われ、風呂用熱交換器１５に風呂ポンプ１７の駆動で浴槽水を循環させれば風呂の追焚きが行われるものであり、又循環回路２１の暖房用ポンプ２３を駆動させれば、暖房用熱交缶体３内の熱媒体がそのまま循環して、放熱器を介して温水暖房が行われるものである。
【００１７】
従って、１台の給湯機で給湯は勿論、風呂の追焚き及び温水暖房と３つの機能を有するもので、省スペースであると共に、コストパフォーマンスも有効であり、使用勝手も良いものである。
【００１８】
また器具の設置条件が図６に示す如く、後配管出しで前排気である場合には、機能室２７に後用の配管室３６を接続すると共に、前排気用の排気室４６をそれぞれ接続すれば良く、更に図７に示すように右側配管出しで左排気では、同じく機能室２７に右用の配管室４３を接続すると共に、左排気用の排気室４７をそれぞれ接続すれば良く、図８に示す如く左側配管出しで右排気では、機能室２７に左用の配管室４４を接続すると共に、右排気用の排気室４１をそれぞれ接続すれば良く、その他種々の組み合わせで色々な配管出しの及び排気方向に対応出来、設置のバリエーションが豊富で使用勝手が良いと共に、特にベランダの形が部屋によって相違するマンションやアパートへの設置が容易に行われるものである。
【００１９】
更に機能部品が多数収納された機能室２７はそのままで、上下の排気室４１、４６、４７と配管室３６、４３、４４とを、それぞれその設置条件に応じて組み合わせるものであるから、コスト的にも高価となることがなく、極めて使用勝手が良いものである。
【００２０】
【発明の効果】
以上のようにこの発明によれば、バリエーションに富んだ設置が容易に行え、特にベランダの形が部屋毎に変化するマンションやアパートへの設置が簡単に行え極めて使用勝手が良いと共に、機能部品が多く収納された機能室はそのままで、上下の排気室、配管室のみを設置条件によって取り替えるので、コスト的にも安価で済むものである。
【図面の簡単な説明】
【図１】この発明一実施例を付した給湯機を示す概略構成図。
【図２】同右用の配管室を示す側面図。
【図３】同左用の配管室を示す側面図。
【図４】同前排気用の排気室を示す正面図。
【図５】同左排気用の排気室を示す側面図。
【図６】同後配管出しで前排気の設置状態を示す平面図。
【図７】同右配管出しで左排気の設置状態を示す平面図。
【図８】同左配管出しで右排気の設置状態を示す平面図。
【符号の説明】
１  外枠
２  バーナ部
３  暖房用熱交缶体
５  断熱材
６  給湯用熱交換器
１５  風呂用熱交換器
２７  機能室
３６、４３、４４  配管室
４０  給排気筒
４１、４６、４７  排気室
【図１】
0003880287.tif 000002
【図２】
0003880287.tif 000003
【図３】
0003880287.tif 000004
【図４】
0003880287.tif 000005
【図５】
0003880287.tif 000006
【図６】
0003880287.tif 000007
【図７】
0003880287.tif 000008
【図８】
0003880287.tif 000009